(57)【要約】      （修正有）【課題】従来よりも簡単に開梱及び解体することができる包装箱を提供する。【解決手段】包装箱は、上面板、底面板３、左右一対の左側面板４及び右側面板５を有する筒体と、前面板と、後面板とを備える。前面板は、第１〜第４前面フラップ７ａ〜７ｄから構成され、筒体の前側開口面の全面を覆っている。第１前面フラップ７ａは上面板に連設され、第２前面フラップ７ｂは底面板３に連設されている。上面板には、第１破断可能線及び第２破断可能線と、切れ目線とが形成されている。上面板を切れ目線に沿って左右方向に分断し、且つ、上面板を第１破断可能線及び第２破断可能線に沿って引き裂くと、上面前板部２ｃが、上面左板部２ａ及び上面右板部２ｂから分断され、さらに、上面後板部２ｄが、上面左板部２ａ及び上面右板部２ｂから分断され、包装箱は開梱及び解体される。【選択図】図４
0003220115.tif 000002
【実用新案登録請求の範囲】
【請求項１】
四角筒状の胴部と、該胴部の両端を閉塞する一対の閉塞部とを備える紙製の包装箱において、
前記胴部は、互いに対向する一対の第１面板と、両第１面板の対向方向に交差する方向で互いに対向する一対の第２面板とで形成され、
各閉塞部は、両第１面板の対向する端部からそれぞれ連設された一対のフラップが折り重ねられた状態で互いに接着されることで形成され、
一の第１面板には、各フラップの該第１面板との境界に沿った縁部の各端部を全て接続する破断予定線が形成されていることを特徴とする包装箱。
【請求項２】
前記破断予定線は、前記一の第１面板に連設された一方のフラップである第１フラップと該第１面板との境界に沿った縁部の両端部を接続する第１破断予定線と、
該第１面板に連設された他方のフラップである第２フラップと該第１面板との境界に沿った縁部の両端部を接続する第２破断予定線と、
前記第１破断予定線及び前記第２破断予定線を結ぶ第３破断予定線とによって形成されることを特徴とする請求項１記載の包装箱。
【請求項３】
前記破断予定線は、一方の閉塞部の該第１面板との境界に沿った縁部の両端部を接続する第１破断予定線と、
他方の閉塞部の該第１面板との境界に沿った縁部の両端部を接続する第２破断予定線と、
前記第１破断予定線と前記第２破断予定線とが接することで形成されることを特徴とする請求項１記載の包装箱。
【考案の詳細な説明】
【技術分野】
【０００１】
本考案は、物品を収容する包装箱に関する。
【背景技術】
【０００２】
従来、物品を収容する包装箱として、上面板、底面板及び左右側面板を有する四角筒状の胴部を有し、上面板の前後端部に延設された上面フラップを、左右側面の前後端部に延設された側面フラップに接着することで、前面及び後面を閉塞した包装箱が知られている（例えば、特許文献１参照）。
【０００３】
特許文献１に記載の包装箱では、上面板に、上面板と上面フラップとを分断するための破断線が設けられており、この破断線にそって上面板を破断することで、上面板と上面フラップとを分断する構成となっている。
【先行技術文献】
【特許文献】
【０００４】
【特許文献１】特開２０１８−１４０７９１号公報
【考案の概要】
【考案が解決しようとする課題】
【０００５】
しかしながら、特許文献１に記載の包装箱では、上面フラップは、側面フラップに接着されており、上面板に設けられた破断線にそって上面板を破断することで、上面板と上面フラップとを分断した場合でも、上面フラップは、側面フラップに接着されたままとなっている。このため、包装箱を開梱及び解体するには、上面フラップを側面フラップから取り外す必要があり、手間がかかっていた。
【０００６】
本考案は、以上の点に鑑み、従来よりも簡単に開梱及び解体することができる包装箱を提供することを目的とする。
【課題を解決するための手段】
【０００７】
本考案は、四角筒状の胴部と、該胴部の両端を閉塞する一対の閉塞部とを備える紙製の包装箱において、前記胴部は、互いに対向する一対の第１面板と、両第１面板の対向方向に交差する方向で互いに対向する一対の第２面板とで形成され、各閉塞部は、両第１面板の対向する端部からそれぞれ連設された一対のフラップが折り重ねられた状態で互いに接着されることで形成され、一の第１面板には、各フラップの該第１面板との境界に沿った縁部の各端部を全て接続する破断予定線が形成されていることを特徴とする。
【０００８】
本考案によれば、一の第１面板に連設された一のフラップは、他の第１面板に連設された他のフラップに接着されているので、破断予定線で一の第１上面板を破くと、上面板は、分断され、且つ、一のフラップは、一の第１面板から分断されて、他のフラップを介して他の第１面板にのみ接着された状態となり、包装箱は開梱及び解体される。これにより、一の第１面板に連設された一のフラップが、一対の第２面板に連設されたフラップに接着されている従来のものに比べて、簡単に包装箱を開梱及び解体することができる。
【０００９】
また、前記破断予定線は、前記一の第１面板に連設された一方のフラップである第１フラップと該第１面板との境界に沿った縁部の両端部を接続する第１破断予定線と、該第１面板に連設された他方のフラップである第２フラップと該第１面板との境界に沿った縁部の両端部を接続する第２破断予定線と、前記第１破断予定線及び前記第２破断予定線を結ぶ第３破断予定線とによって形成されることが好ましい。
【００１０】
この構成によれば、筒体の一対の開口面の全面を覆うことができるので、開口されているものに比べて、包装箱の密閉性を向上することができる。
【００１１】
さらに、前記破断予定線は、一方の閉塞部の該第１面板との境界に沿った縁部の両端部を接続する第１破断予定線と、他方の閉塞部の該第１面板との境界に沿った縁部の両端部を接続する第２破断予定線と、前記第１破断予定線と前記第２破断予定線とが接することで形成されることが好ましい。
【００１２】
この構成によれば、第１面板又は第２面板を、接着片を介して第４面板に接着することができるので、包装箱は、ある程度の力が加わっても解体されないように強固に組み立てられる。
【図面の簡単な説明】
【００１３】
【図１】実施形態の包装箱を示す斜視図。
【図２】本実施形態の包装箱を展開して示す展開図。
【図３】本実施形態の包装箱を第１破断可能線及び第２破断可能線で破断させた状態を示す斜視図。
【図４】本実施形態の包装箱を解体した状態を示す斜視図。
【図５】Ａ〜Ｃは別の実施形態の包装箱を展開して示す展開図。
【考案を実施するための形態】
【００１４】
本考案の一実施形態を図面に基づいて説明する。
【００１５】
図１に示すように、本実施形態の包装箱１は、互いに対向する上面板２（一の第１面板）及び底面板３（第１面板）、左右一対の左側面板４（第２面板）及び右側面板５（第２面板）を有する筒体６（胴部）と、互いに対向する前面板７（閉塞部）及び後面板８（閉塞部）とを備え、内部に物品Ａ１（図３参照）を収容している。包装箱１は、例えば、商品である物品Ａ１を輸送するための輸送用包装箱である。
【００１６】
図２に示すように、包装箱１は、大略矩形状に打抜いて形成された段ボール板紙１０により組み立てられる。
【００１７】
段ボール板紙１０は、図２において展開して示すように、左右方向及び前後方向に延びる矩形状の上面板２の右端縁に、折目線Ｌ１を介して矩形状の右側面板５が連設され、上面板２の左端縁に、折目線Ｌ２を介して接着片１１が連設されている。接着片１１は、左側面板４に接着されている（図１参照）。これにより、包装箱１は、ある程度の力が加わっても解体されないように強固に組み立てられる。
【００１８】
右側面板５の右端縁に、折目線Ｌ３を介して矩形状の底面板３が連結され、底面板の右端縁に、折目線Ｌ４を介して左側面板４が連設されている。
【００１９】
前面板７は、第１〜第４前面フラップ７ａ〜７ｄから構成され、筒体６の前側開口面の全面を覆っている。
【００２０】
第１前面フラップ７ａ（第１フラップ）は、折目線Ｌ５を介して上面板２の前端縁に連設され、第２前面フラップ７ｂは、折目線Ｌ６を介して底面板３の前端縁に連設されている。第３前面フラップ７ｃは、折目線Ｌ７を介して左側面板４の前端縁に連設され、第４前面フラップ７ｄは、折目線Ｌ８を介して右側面板５の前端縁に連設されている。なお、第３前面フラップ７ｃ及び第４前面フラップ７ｄは設けないようにしてもよい。
【００２１】
後面板８は、第１〜第４後面フラップ８ａ〜８ｄから構成され、筒体６の後側開口面の全面を覆っている。これにより、包装箱１の密閉性を向上することができる。
【００２２】
第１後面フラップ８ａ（第２フラップ）は、折目線Ｌ９を介して上面板２の後端縁に連設され、第２後面フラップ８ｂは、折目線Ｌ１０を介して底面板３の後端縁に連設されている。第３後面フラップ８ｃは、折目線Ｌ１１を介して左側面板４の後端縁に連設され、第４後面フラップ８ｄは、折目線Ｌ１２を介して右側面板５の後端縁に連設されている。なお、第３後面フラップ８ｃ及び第４後面フラップ８ｄは、設けないようにしてもよい。
【００２３】
第３前面フラップ７ｃ及び第４前面フラップ７ｄは、折目線Ｌ７及び折目線Ｌ８に沿って内側に折り曲げられ、第２前面フラップ７ｂの内側に配置される。
【００２４】
第２前面フラップ７ｂは、折目線Ｌ６に沿って内側に折り曲げられ、第１前面フラップ７ａは、折目線Ｌ５に沿って内側に折り曲げられ、第２前面フラップ７ｂの外側に配置される。そして、第１前面フラップ７ａの内面（図１における後面）が、第２前面フラップ７ｂの外面（図１における前面）に接着されている。
【００２５】
第３後面フラップ８ｃ及び第４後面フラップ８ｄは、折目線Ｌ１１及び折目線Ｌ１２に沿って内側に折り曲げられ、第２後面フラップ８ｂの内側に配置される。
【００２６】
第２後面フラップ８ｂは、折目線Ｌ１０に沿って内側に折り曲げられ、第１後面フラップ８ａは、折目線Ｌ９に沿って内側に折り曲げられ、第２後面フラップ８ｂの外側に配置される。そして、第１後面フラップ８ａの内面（図１における前面）が、第２後面フラップ８ｂの外面（図１における後面）に接着されている。
【００２７】
上面板２には、連続して破断可能な第１破断可能線２１（第１破断予定線）及び第２破断可能線２２（第２破断予定線）と、切れ目線２３（第３破断予定線）とが形成されている。第１，第２破断可能線２１，２２は、直線状の不連続な複数の切れ目による所謂ミシン目によってそれぞれ形成されている。本実施形態では、本発明の破断予定線は、第１破断可能線２１及び第２破断可能線２２と、切れ目線２３とにより構成される。なお、切れ目線２３に代えて破断可能線を形成してもよい。
【００２８】
第１破断可能線２１は、第１前面フラップ７ａの上面板２との境界に沿った縁部の両端部を接続するように形成されている。第２破断可能線２２は、第１後面フラップ８ａの上面板２との境界に沿った縁部の両端部を接続するように形成されている。切れ目線２３は、上面板２の左右方向のほぼ中心部で前後方向に延び、第１破断可能線２１と第２破断可能線２２とを結ぶように形成されている。
【００２９】
本実施形態では、上面板２は、第１破断可能線２１と第２破断可能線２２との間で切れ目線２３よりも左側部分の上面左板部２ａと、第１破断可能線２１と第２破断可能線２２との間で切れ目線２３よりも右側部分の上面右板部２ｂと、第１破断可能線２１より前側部分の上面前板部２ｃと、第２破断可能線２２より後側部分の上面後板部２ｄとに区分けされる。
【００３０】
ここで、上面左板部２ａは、折目線Ｌ２を介して接着片１１が連設され、上面右板部２ｂは、折目線Ｌ１を介して右側面板５が連設されている。また、上面前板部２ｃは、折目線Ｌ５を介して第１前面フラップ７ａに連設され、上面後板部２ｄは、折目線Ｌ９を介して第１後面フラップ８ａに連設されている。
【００３１】
次に、図３及び図４を参照して、収容した物品Ａ１を取り出し可能にするために、包装箱１を開梱及び解体する作業を説明する。
【００３２】
先ず、図３に示すように、上面板２を切れ目線２３に沿って左右方向に分断し、且つ、上面板２を第１破断可能線２１及び第２破断可能線２２に沿って引き裂いて、上面左板部２ａと上面右板部２ｂとを分断して、それぞれを起立させる。これにより、上面前板部２ｃが、上面左板部２ａ及び上面右板部２ｂから分断され、さらに、上面後板部２ｄが、上面左板部２ａ及び上面右板部２ｂから分断される。この状態では、上面左板部２ａ及び上面右板部２ｂが起立する前に位置していた部分が開口となり、物品Ａ１が視認可能となる。
【００３３】
そして、第２前面フラップ７ｂを前側に押し倒し、さらに、第２後面フラップ８ｂを後側に押し倒す。
【００３４】
上面前板部２ｃが連設された第１前面フラップ７ａは、第２前面フラップ７ｂに接着されており、第２前面フラップ７ｂを前側に押し倒すと、第１前面フラップ７ａも一緒に前側に倒れる。また、上面後板部２ｄが連設された第１後面フラップ８ａは、第２後面フラップ８ｂに接着されており、第２後面フラップ８ｂを後側に押し倒すと、第１後面フラップ８ａも一緒に後側に倒れる。
【００３５】
これにより、図４に示すように、包装箱１は開梱及び解体され、物品Ａ１を取り出すことができる。なお、図４では、物品Ａ１の図示を省略している。
【００３６】
また、図４に示す状態から、上面前板部２ｃを前側に倒し、上面後板部２ｄを後側に倒すことで、包装箱１は、平板状となり、解体した包装箱１を纏めやすくなる。
【００３７】
本実施形態では、上面前板部２ｃが連設された第１前面フラップ７ａは、第２前面フラップ７ｂに接着され、上面後板部２ｄが連設された第１後面フラップ８ａは、第２後面フラップ８ｂに接着されているので、上面板２を切れ目線２３に沿って左右方向に分断し、且つ、上面板２を第１，第２破断可能線２１，２２に沿って引き裂くと、包装箱１を開梱及び解体することができる。これにより、第１前面フラップ７ａ及び第１後面フラップ８ａが、第３，第４前面フラップ７ｃ，７ｄ及び第３，第４後面フラップ８ｃ，８ｄに接着されているものに比べて、容易に包装箱１を開梱及び解体することができる。
【００３８】
なお、上記実施形態では、包装箱１を段ボール板紙１０により構成しているが、紙や樹脂、金属等により構成してもよい。
【００３９】
上記実施形態では、破断予定線を、第１破断可能線２１及び第２破断可能線２２と、切れ目線２３とにより構成しているが、これに限定されることなく、第１前面フラップ７ａ及び第１後面フラップ８ａの上面板２との境界に沿った縁部の各端部を全て接続する破断予定線であればよい。
【００４０】
例えば、図５Ａに示すように、第１前面フラップ７ａの上面板２との境界に沿った縁部の左側端部と、第１後面フラップ８ａの上面板２との境界に沿った縁部の右側端部とを接続する第１破断可能線３１と、第１前面フラップ７ａの上面板２との境界に沿った縁部の右側端部と、第１後面フラップ８ａの上面板２との境界に沿った縁部の左側端部とを接続する第２破断可能線３２と、を有する破断予定線を形成するようにしてもよい。
【００４１】
また、図５Ｂに示すように、第１前面フラップ７ａの上面板２との境界に沿った縁部の両端部を接続する第１破断可能線４１と、第１後面フラップ８ａの上面板２との境界に沿った縁部の両端部を接続する第２破断可能線４２と、第１破断可能線４１の左右方向中心部と第２破断可能線４２の左右方向中心部とを結ぶ第３破断可能線４３と、を有する破断予定線を形成するようにしてもよい。第３破断可能線４３を形成する左右方向の位置は適宜変更可能である。
【００４２】
さらに、図５Ｃに示すように、第１前面フラップ７ａの上面板２との境界に沿った縁部の両端部を接続する第１破断可能線５１と、第１後面フラップ８ａの上面板２との境界に沿った縁部の両端部を接続する第２破断可能線５２と、第１破断可能線５１の右側端部と第２破断可能線５２の右側端部とを結ぶ第３破断可能線５３と、を有する破断予定線を形成するようにしてもよい。なお、第３破断可能線５３は、第１破断可能線５１の左側端部と第２破断可能線５２の左側端部とを結ぶ線であってもよい。
【００４３】
上記実施形態では、左側面板４を底面板３に連設させているが、左側面板４を上面板２の左端縁に連設するようにしてもよい。この場合、接着片１１を、底面板３に連設させる。なお、接着片１１は、設けないようにしてもよい。
【符号の説明】
【００４４】
１…包装箱、２…上面板、３…底面板、４…左側面板、５…右側面板、６…筒体、７…前面板、７ａ〜７ｄ…第１〜第４前面フラップ、８…後面板、８ａ〜８ｄ…第１〜第４後面フラップ、１１…接着片、２１，２２…第１，第２破断可能線、２３…切れ目線、Ａ１…物品、Ｌ１〜Ｌ１２…折目線
【図１】
0003220115.tif 000003
【図２】
0003220115.tif 000004
【図３】
0003220115.tif 000005
【図４】
0003220115.tif 000006
【図５】
0003220115.tif 000007